(57)【要約】【課題】共有するデータを自動的に絞ることができ、意識することなく最低限のセキュリティを確保することができる電子機器およびそのデータ保護方法を提供する。【解決手段】ファイルが作成された、あるいは更新されたときに、そのファイルの作成時刻、あるいは更新時刻を開始時間として、予め機能やファイルの種類によって無条件にファイルのアクセス可能な時間を設定しておき、その時間内であれば自由に共有データファイルへのアクセスが許可されるようにし、設定された時間経過後は、予め機能やファイルの種類によって決められているアクセス条件に戻るというアクセス管理を行う制御部１５、メモリ管理部１７を有する。【選択図】図１
2007122519.tif 000002
【特許請求の範囲】
【請求項１】
データの作成または更新要求に応答して、データが作成または更新されたときを開始時間として、あらかじめ設定した前記データへのアクセス可能時間内であれば前記データへのアクセスを許容し、前記アクセス可能時間経過後は、前記データへのアクセスを制限する制御手段を
有する電子機器。
【請求項２】
前記アクセス可能時間はデータの種類に応じて設定されている
請求項１記載の電子機器。
【請求項３】
前記制御手段は、前記アクセス可能時間を、データのアクセス頻度に応じて延長する
請求項１または２記載の電子機器。
【請求項４】
前記制御手段は、前記アクセス可能時間を、データのキーワードに応じて延長する
請求項１から３のいずれかに記載の電子機器。
【請求項５】
情報を入力する入力手段を有し、
前記制御手段は、前記開始時間が設定されから前記入力手段が動作すると前記開始時間を再設定する
請求項１から４のいずれかに記載の電子機器。
【請求項６】
前記制御手段は、前記アクセス可能時間経過後は、データの種類によって決められているアクセス条件に基づいてデータのアクセスを許容する
請求項１から５のいずれかに記載の電子機器。
【請求項７】
タイマと、
データを保存する保存用メモリと、
データが一時的に保存される一時保存バッファと、を有し、
前記制御手段は、
データの作成または更新要求を受けると、一時保存バッファへ対象データを保存し、データが作成されたときを開始時間として前記タイマを起動し、あらかじめ設定した前記データへのアクセス可能時間内であれば前記一時保存バッファのデータへのアクセスを許容し、前記アクセス可能時間が経過し前記タイマがタイムアウトすると、前記データを前記保存用メモリへ移動して、当該データへのアクセスを制限する
請求項１から６のいずれかに記載の電子機器。
【請求項８】
データが作成または更新されたときを開始時間としておき、
あらかじめ設定したアクセス可能時間内であれば前記データへのアクセスを許容し、
前記アクセス可能時間経過後は、前記データへのアクセスを制限する
電子機器のデータ保護方法。
【請求項９】
前記アクセス可能時間経過後は、データの種類によって決められているアクセス条件に基づいてアクセスを許容する
請求項８記載の電子機器のデータ保護方法。
【発明の詳細な説明】
【技術分野】
【０００１】
本発明は、携帯電話機等の電子機器に係り、特に、メモリに格納した重要なデータや個人情報の保護機能を有する電子機器およびそのデータ保護方法に関するものである。
【背景技術】
【０００２】
携帯電話機等の携帯端末は搭載メモリの増加により様々な重要なデータが格納されるようになっている。
具体的には、内蔵メモリや外部メモリに、アドレス帳等の個人情報、画像や動画ファイル、送受信メール、発着信履歴、ブックマークやWebページ履歴等のデータ等が格納される。
【０００３】
この種の重要なデータや個人情報は、あまり他人に見られたくないデータであることから、携帯電話機等の携帯端末においては、一般的に、重要なデータ等に対してはセキュリティ設定をして暗証番号等を入力しないと見られないようにしている。
【０００４】
また、特許文献１には、装置の操作に関する情報および操作者を特定する情報を、カテゴリに分類し、分類後のカテゴリに応じて動作情報の本体での記録、再生、表示転送、消去を制御する装置が提案されている。
また、特許文献２には、暗証番号を入力した後、有効時間だけ許可する技術が開示されている。
【特許文献１】特開２００４−３４９９０９号公報
【特許文献２】特開２００２−２７０９２号公報
【発明の開示】
【発明が解決しようとする課題】
【０００５】
しかし、重要なデータをセキュリティ保護するために暗証番号等を設定していても、一度暗証番号を入力してセキュリティを解除すると全てのデータにアクセス可能な場合が多かった。
そのため、情報を共有するために携帯端末にデータを表示して他の人に見せるときやパソコンに接続してデータを取り出そうとするときには、セキュリティを解除した状態となるため、共有したいデータ以外のデータを見られたり、パソコンにデータを取り出せたりするという不利益があった。
【０００６】
ここで共有したいデータとは、共有する直前にカメラで撮影した画像や動画のデータ、共有する直前に受信したメールのデータ、共有する直前に登録・編集したアドレス帳のデータ、共有する直前の電話発着信の履歴データ、現在編集中のデータ等のように直前に操作していたデータである場合が多い。
たとえば、従来は、直前にカメラで撮影した画像データを画面に表示して他の人に見せる場合、その情報の共有のみが目的であるのに対して、実際には端末内に保存されている以前撮影した画像データへもアクセス可能な場合が多いので、見せたい情報以外の情報も共有の対象となっていた。
【０００７】
また、特許文献２のように、一度暗証番号を入力した後は、指定された有効期限だけ特定の機能に許可されたデータへのアクセスが可能になるという提案もあるが、最初に暗証番号を入力するという作業が必要であり、また一度暗証番号を入力するとその機能の対象となる全てのデータへのアクセスが可能になるという不利益があるので根本的な解決にはなっていない。
【０００８】
また、特許文献１に記載された装置は、データをどのデバイスに記録するかを制御するもの、および転送や複写制限を制御するものであって、アクセス制御は行っていない。また、この装置においては、データが生成されると直ちにデータへの取り扱い制御が行われる。
【０００９】
本発明の目的は、新規作成または更新されたデータについては所定時間自由にアクセスを可能とする一方で、所定時間が過ぎてからデータが長期保存状態となるとアクセス制限をかけることにより、意識することなく最低限のセキュリティを確保することができる電子機器およびそのデータ保護方法を提供することにある。
【課題を解決するための手段】
【００１０】
本発明の第１の観点の電子機器は、データの作成または更新要求に応答して、データが作成または更新されたときを開始時間として、あらかじめ設定した前記データへのアクセス可能時間内であれば前記データへのアクセスを許容し、前記アクセス可能時間経過後は、前記データへのアクセスを制限する制御手段を有する。
【００１１】
好適には、前記アクセス可能時間はデータの種類に応じて設定されている。
【００１２】
好適には、前記制御手段は、前記アクセス可能時間を、データのアクセス頻度に応じて延長する。
【００１３】
好適には、前記制御手段は、前記アクセス可能時間を、データのキーワードに応じて延長する。
【００１４】
好適には、情報を入力する入力手段を有し、前記制御手段は、前記開始時間が設定されから前記入力手段が動作すると前記開始時間を再設定する。
【００１５】
好適には、前記制御手段は、前記アクセス可能時間経過後は、データの種類によって決められているアクセス条件に基づいてデータのアクセスを許容する。
【００１６】
好適には、タイマと、データを保存する保存用メモリと、データが一時的に保存される一時保存バッファと、を有し、前記制御手段は、データの作成または更新要求を受けると、一時保存バッファへ対象データを保存し、データが作成されたときを開始時間として前記タイマを起動し、あらかじめ設定した前記データへのアクセス可能時間内であれば前記一時保存バッファのデータへのアクセスを許容し、前記アクセス可能時間が経過し前記タイマがタイムアウトすると、前記データを前記保存用メモリへ移動して、当該データへのアクセスを制限する。
【００１７】
本発明の第２の観点の電子機器のデータ保護方法は、データが作成または更新されたときを開始時間としておき、あらかじめ設定したアクセス可能時間内であれば前記データへのアクセスを許容し、前記アクセス可能時間経過後は、前記データへのアクセスを制限する。
【発明の効果】
【００１８】
本発明によれば、新規作成または更新されたデータについては所定時間自由にアクセスを可能とする一方で、所定時間が過ぎてからデータが長期保存状態となるとアクセス制限をかけることにより、意識することなく最低限のセキュリティを確保することができる。
【発明を実施するための最良の形態】
【００１９】
以下、本発明の実施形態を図面に関連付けて説明する。
【００２０】
図１は、本発明の実施形態に係る携帯通信端末(電子機器)の構成例を示すブロック図である。
【００２１】
この携帯通信端末１０は、図１に示すように、タイマ１１、入力部１２、表示部１３、通信部１４、制御部１５、メモリ管理部１６、一時保存バッファ１７、および保存用メモリ１８を有する。制御部１５およびメモリ管理部１６により管理制御手段が形成される。
なお、図示していないが、携帯通信端末１０は、カメラ機能を持つように構成することも可能である。
【００２２】
本実施形態の携帯通信端末１０は、アドレス帳等の個人情報、画像や動画ファイル、送受信メール、発着信履歴、ブックマークやWebページ履歴等のデータ等のデータファイルを内蔵メモリ、あるいは外部メモリに保存することが可能で、かつ、データファイルへのアクセス制限を設定することが可能に構成されている。
携帯通信端末１０は、ファイルが新規に作成された、あるいは更新(変更)されたときに、そのデータファイルの新規作成時刻、あるいは更新時刻を開始時間として、予め機能やファイルの種類によって無条件にデータファイルにアクセス可能な時間を設定しておき、その時間内であれば自由にファイルへのアクセスが許可されるようにし、設定された時間経過後は、予め機能やファイルの種類によって決められているアクセス条件に戻るという制御管理機能を備えている。
なお、単に、ファイル作成という場合は、ファイルが新規に作成された、あるいは更新(変更)された場合を含むものとする。
【００２３】
タイマ１１は、制御部１５の制御により起動制御が行われ、その計時時間は制御部１５で参照され、制御部１５により、後で説明する重要なデータや個人情報等を格納するメモリへのアクセスが制御される。
タイマ１１は、入力部１２が操作されている間は再設定される。
すなわち、タイマ１１が起動されて開始時間が設定されから入力部１２が動作するとタイマ１１は再起動（再設定）される。
【００２４】
入力部１２は、各種機能を選択・実行するためのキーを含んでおり、文字や数字やその他の各種記号を入力可能に形成されている。
入力部１２は、携帯通信端末１０への動作の指示等を受け付ける。
入力部１２による入力情報は、制御部１５に入力される。
【００２５】
表示部１３は、たとえばＬＣＤ（液晶表示装置）により構成され、制御部１４の制御の下、文字情報、画像情報、携帯通信端末１０の動作状態(電界強度、電池残量、時刻など)等を表示する。
【００２６】
通信部１４は、図示しない基地局との間の無線通信に関する処理を行う。たとえば制御部１５から出力される送信データに所定の変調処理を施して無線信号に変換して図示しないアンテナから送出する。また、通信部１４は、アンテナにおいて受信された無線信号に所定の復調処理を施して受信データを復号し、制御部１５に出力する。
【００２７】
制御部１５は、保存用メモリ１８に格納されるプログラムに基づいて処理を実行するマイクロコンピュータを有しており、携帯通信端末１０全体的な動作にかかわる種々の処理を行う。
制御部１５は、たとえば電話機の機能に関する処理として、入力部１２の操作に応じて通信部１４の発呼、着信シーケンスを制御する処理や、図示しない音声処理部において入力される音声データを通信部１４において送受信させる処理を行う。
【００２８】
制御部１５は、メモリ管理部１６を通して保存用メモリに格納される、いわゆるデータのアクセス条件をタイマ１１の計時時間に基づいて制御する。
具体的には、制御部１５は、ファイルが新規作成されたとき、あるいは変更されたときをトリガとしてタイマ１１を起動し、タイマ１１が有効な時間だけ、そのファイルへのアクセスを無条件に行うことができるように制御する。すなわち、制御部１５は、ファイルが作成された、あるいは更新されたときに、そのファイルの作成時刻、あるいは更新時刻を開始時間として、予め機能やファイルの種類によって無条件にアクセス可能な時間を設定しておき、その時間内であれば自由にファイルへのアクセスが許可されるように制御する。
そして、制御部１５は、設定された時間経過後は、予め機能やファイルの種類によって決められているアクセス条件に戻るという制御を行う。
つまり、制御部１５は、他の人へ自分の携帯電話のデータを見せる場合、直前に操作していたデータファイルを見せることが多いため、その状態で他の人に渡してもそのデータは見ることができるが、他のデータ（直前にファイル操作をしていないセキュリティ保護されたデータファイル）に関しては、アクセスができない状態となるように制御する。
【００２９】
なお、制御部１５は、たとえばメモリ管理部１６の要求に応じてタイマ１１の起動等の制御を行う。
また、制御部１５は、入力部１２が操作されている間は、タイマ１１を再設定する。
【００３０】
メモリ管理部１６は、制御部１５の制御の下で起動される各種アプリケーションに応じて一時保存バッファ１７、および保存用メモリ１８のデータ管理を行う。
【００３１】
一時保存バッファ１７は、ファイルの新規作成あるいはファイル更新要求があったときに、メモリ管理部１６の管理の下、作成すべきファイルあるいは保存用メモリ１８から読み出された対象ファイルが一時保存される。
【００３２】
保存用メモリ１８は、たとえは不揮発性半導体メモリを含んで構成され、制御部１５において実行されるプログラムや、メモリ管理部１６にて参照されて、ファイルのアクセス条件を管理するための振分テーブルＴＢＬ１等が記憶される。
【００３３】
図２は、本実施形態に係る振分テーブルの構成例を示す図である。
振分テーブルＴＢＬ１は、図２に示すように、ファイルの種類と、そのフォルダ名と、そのファイルが無条件にアクセス可能な時間を対応付けて形成されている。
図２の例では、ファイルの種類として「テキスト」、「画像」、「動画」、「Webページの履歴」等が例示されている。
そして、「テキスト」は「フォルダＡ」で、無条件のアクセス時間は「５分」に設定されている。
同様に、「画像」は「フォルダＢ」で、無条件のアクセス時間は「１０分」に設定されている。
「動画」は「フォルダＣ」で、無条件のアクセス時間は「１５分」に設定されている。
「履歴」は「フォルダＤ」で、無条件のアクセス時間は「５分」に設定されている。
【００３４】
なお、対象とするデータの種類としては、たとえば以下のデータを例示する。
・カメラで撮影した画像や動画のデータ、
・受信したメールのデータ、
・送信したメールのデータ、
・登録したアドレス帳のデータ、
・BCMCSで受信したコンテンツのデータ、
・ダウンロードしたデータ、
・発着信の履歴データ、
・表示しているWeb画面、
編集中のデータ、
等である。
【００３５】
ＢＣＭＣＳとは、現在、1xEV-DO通信方式がすでに商用化されている機能の１つで、ブロードキャスト／マルチキャストサービス（Broadcast Multicast Service：ＢＣＭＣＳ)を意味する。
【００３６】
ブロードキャストサービスは、無線通信回線網を利用し、基地局が自局のサービスエリア（たとえば、セルやセクタ）内の無線通信端末全体に対して継続的にデータをコネクションレス形式で送信する、すなわち、「放送する」サービス形態である。
【００３７】
マルチキャストサービスは、ブロードキャストサービスの類似のサービスであるが、サービスエリア（たとえば、セルやセクタ）内の無線通信端末の中でも特定のサービス情報（たとえば、有料サービス）を契約している特定のユーザのみが視聴できるように放送するサービス形態である。
【００３８】
ここで、制御部１５、メモリ管理部１６、一時保存バッファ１７、および保存用メモリ１８におけるファイルの新規作成、あるいは変更時のデータファイルの取り扱い手順は、図３に示すように行われる。
【００３９】
ステップＳＴ１において、アプリケーション１５Ａは、メモリ管理部１６にファイルの新規作成要求、またはファイルの変更要求をする。
ステップＳＴ２において、ファイルを一時保存バッファ１７に作成、または変更するファイルを保存用メモリ１８から一時保存バッファへ対象ファイルを移動する。
ステップＳＴ３において、保存用メモリ１８に保存されている振分テーブルＴＢＬ１に基づきファイルの種類に対応して、そのタイマ１１を起動する。ただし、タイマ１１を起動した後に、入力部１２が動作中であると、タイマ１１は再起動（開始時間が再設定）される。
ステップＳＴ４において、タイマ起動の対象となったファイルの無条件にアクセス可能な設定時間（たとえば図２の例の画像の場合は１０分）が経過し、タイムアウトしたらデータファイルを一時保存バッファ１７から保存用メモリ１８の指定フォルダへ移動する。
なお、これ以外にもファイルのフラグ管理でアクセス可能状態を管理するものでも良い。
【００４０】
以下に、上記構成によるファイルの新規作成または更新時の動作を、図４に関連付けてさらに具体的に説明する。
図４は、本実施形態におけるファイルの新規作成または更新時の具体的な動作を説明するためのフローチャートである。
【００４１】
＜具体例１＞
たとえば携帯電話機等の携帯通信端末のカメラ機能を使って写真を撮影し、その撮影した写真を他の人に見せるため携帯通信端末を渡すと、その写真以外の以前撮影した写真も見られてしまうことがある。
本実施形態においては、撮影した写真は撮影後の一定時間だけしか無条件にアクセス可能とならない。
そのため、その撮影した写真を他の人に見せるため携帯通信端末１０を渡しても、その写真だけは見られるが携帯通信端末の中に保存されている以前撮影した他の写真はフォルダがセキュリティ設定されていれば見ることができないということになる。具体的には次のようになる。
【００４２】
カメラのアプリケーションにより、ファイルの新規作成、または更新要求としてメモリ管理部１６に撮影した写真のデータ（画像ファイル）が渡されると（ＳＴ１１）、メモリ管理部１６は、一時保存バッファ１７にファイルを作成する（続けて何枚か写真を撮影した場合も同様に一時保存バッファ１７に保存される）。一時保存バッファ１７にファイルが作成されると、予めファイルの種類によって決められている設定時間（図２の例では１０分）タイマ１１が起動される（ＳＴ１２，ＳＴ１３）。
カメラのアプリケーションで写真を見ようとすると、フォルダＢ(図２)がセキュリティ設定されているときは、表示可能なのはステップＳＴ１１〜ＳＴ１３の処理の直前に撮影した画像ファイルのみとなる。
入力部１２のキー操作がないとタイムアウトになるので（ＳＴ１４，ＳＴ１５）、タイムアウト処理としてステップＳＴ１２において一時保存バッファ１７に保存されている画像ファイルは自動的に保存用メモリ１８の画像用フォルダＢに移動される（ＳＴ１６）。
ステップＳＴ１６によりファイルが自動的にフォルダへ移動されると、カメラのアプリケーションを起動して撮影した画像ファイルを見ようとしても、フォルダＢがセキュリティ設定されていればセキュリティを解除しないと見ることができない。
なお、入力部１２のキー操作が行われている動作中はタイマ１１は再設定されて（ＳＴ１７）、ステップＳＴ１４の処理に戻る。
【００４３】
＜具体例２＞
携帯電話機等の携帯通信端末のインターネットアクセス機能を使ってブラウザでWebページを閲覧すると、ブラウザがWebページの履歴ファイルを端末内に保存する場合がある。
通常、履歴ファイルへはアクセス制限がされていないので、今見ているWebページを他の人に見せようとして携帯通信端末を渡すと、履歴に残っている以前閲覧したWebページも見られてしまうことがある。
本実施形態においては、Webページの履歴ファイルへはインターネットアクセス後（インターネットへアクセスして履歴ファイルが作成された後）の一定時間だけしか無条件にアクセスできない。そのため、現在見ているWebページを他の人に見せるため携帯電話を渡しても、そのWebページだけは見られるが、履歴に残っている以前閲覧したWebページはフォルダがセキュリティ設定をしていれば見ることができないということになる。具体的には、次のようになる。
【００４４】
ブラウザのアプリケーションにより、メモリ管理部１６に履歴のデータが渡される（ＳＴ１１）。一時保存バッファ１７にファイルが作成されると予めファイルの種類によって決められている設定時間（図２の例では５分）タイマ１１が起動される（ＳＴ１２，ＳＴ１３）。
ブラウザのアプリケーションで履歴ファイルを見ようとすると、フォルダＤがセキュリティ設定されているときは、表示可能なのはステップＳＴ１１〜ＳＴ１３の処理の直前に閲覧したWebページのみとなる。
入力部１２のキー操作がないとタイムアウトになるので（ＳＴ１４，ＳＴ１５）、タイムアウト処理として、ステップＳＴ１２において一時保存バッファ１７に保存されている履歴ファイルは自動的に履歴用フォルダＤに移動される（ＳＴ１６）。
ステップＳＴ１６によりファイルが自動的にフォルダへ移動されると、ブラウザのアプリケーションを起動して閲覧した履歴ファイルを見ようとしても、フォルダＤがセキュリティ設定されていればセキュリティを解除しないと見ることができない。
【００４５】
＜応用例＞
ファイルのアクセスしたランキングによって、予め決められているタイマ時間を増減する。ファイルのアクセス頻度が高いものは、何度も使用している可能性が高いので、アクセス頻度が高くなるにつれてタイムアウト時間を長くする。
たとえば、１０回アクセスが増えるごとに予め設定されている時間を延長するようにする。仮に延長時間を５分とすれば、１０回目のアクセスで２０回アクセスがあった場合は特定の時間の２倍を延長する等の処理を行う。
または、アクセスする毎に予め設定された時間だけタイムアウト時間を延長する。たとえば、タイムアウト前に２回目のアクセスがあれば予め設定されている時間を延長し、また次のタイムアウト前に３回目のアクセスがあればさらに予め設定されている時間を延長する。
【００４６】
タイマ時間の残り時間に関係なく電源オフされた場合は、電源オフ処理でタイムアウト処理を実行する。電源がオフされた時は、セキュリティの面からタイムアウト処理を実行して一時バッファにあるファイルを全て保存用メモリに移動し、タイマをクリアする処理を行う。
ファイルの種類の他にダウンロード時に表示されているキーワード、テレビやラジオやBCMCS等の録画されたデータに関しては番組表から得られるジャンル等の情報によってタイマ時間を変更する。たとえば、お笑いというキーワードが含まれていれば、何度も共有する可能性が高いので、アクセス時間を長くする。
【００４７】
図５は、本実施形態の応用例に即した振分テーブルの構成例を示す図である。
振分テーブルＴＢＬ２は、図５に示すように、ファイルの種類と、そのフォルダ名と、そのファイルが無条件にアクセス可能な初期時間、アクセス頻度別延長時間、キーワードによる延長時間を対応付けて形成されている。
図５の例では図２と同様に、ファイルの種類として「テキスト」、「画像」、「動画」、「Webページの履歴」等が例示されている。
そして、「テキスト」は「フォルダＡ」で、無条件のアクセス初期時間は「５分」に設定され、アクセス頻度別延長時間は「＋５分」に設定され、キーワードによる延長時間は「＋５分」に設定されている。
同様に、「画像」は「フォルダＢ」で、無条件のアクセス初期時間は「１０分」に設定され、アクセス頻度別延長時間は「＋５分」に設定され、キーワードによる延長時間は「＋５分」に設定されている。
「動画」は「フォルダＣ」で、無条件のアクセス初期時間は「３０分」に設定され、アクセス頻度別延長時間は「＋１０分」に設定され、キーワードによる延長時間は「＋１０分」に設定されている。
「履歴」は「フォルダＤ」で、無条件のアクセス初期時間は「５分」に設定され、アクセス頻度別延長時間は「＋５分」に設定され、キーワードによる延長時間は「＋５分」に設定されている。
【００４８】
図６は、本実施形態の応用例に即した動作を説明するためのフローチャートである。
図６においては、理解を容易にするために図４と同様の処理ステップには同じステップ番号を付与している。
この図６の処理が図４の処理と異なる点は、ステップＳＴ１２の次に、タイマ１１を起動する条件として、ファイル別のアクセス回数を更新するステップ処理を設けていることと、次のステップＳＴ１３Ａの処理において、振分テーブルＴＢＬ２からタイマの初期設定時間、延長時間を取得し、アクセス回数とキーワードを考慮してタイマ１１を起動するように構成していることにある。
その他の処理は、具体例１，２を説明するために参照した図４の処理と同様の処理が行われることから、ここではその詳細は省略する。
【００４９】
本実施形態によれば、ファイルが新規に作成された、あるいは更新されたときに、そのファイルの作成時刻、あるいは更新時刻を開始時間として、予め機能やファイルの種類によって無条件にファイルのアクセス可能な時間を設定しておき、その時間内であれば自由にデータファイルへのアクセスが許可されるようにし、設定された時間経過後は、予め機能やファイルの種類によって決められているアクセス条件に戻るというアクセス管理機能を備えた制御部およびメモリ管理部１６を有していることから、以下の効果を得ることができる。
新規作成されたデータ、あるいは更新されたデータについて所定時間だけアクセスフリーとするので、生成時または更新時には使い易く、意識しなくても最低限のセキュリティが確保できる利点がある。
また、ファイル（データ）の種類によってファイル（データ）へのアクセス制限時間を異ならせるので、利便性も確保しながら、セキュリティを自動的にかけることができる。
また、毎回セキュリティを設定する必要ない。
また、一定時間が経過すると予め設定されているファイルの種類別のセキュリティ設定になるため、置き忘れ等があっても情報の漏洩を最小限に抑えることが可能である。
【図面の簡単な説明】
【００５０】
【図１】本発明の実施形態に係る携帯通信端末(電子機器)の構成例を示すブロック図である。
【図２】本実施形態に係る振分テーブルの構成例を示す図である。
【図３】本実施形態におけるファイルの新規作成、あるいは変更時のファイルの取り扱い手順を説明するための図である。
【図４】本実施形態におけるファイル作成の具体的な動作を説明するためのフローチャートである。
【図５】本実施形態の応用例に即した振分テーブルの構成例を示す図である。
【図６】本実施形態の応用例に即した動作を説明するためのフローチャートである。
【符号の説明】
【００５１】
１０・・・携帯通信端末（電子機器）、１１・・・タイマ、１２・・・入力部、１３・・・表示部、１４・・・通信部、１５・・・制御部、１６・・・メモリ管理部、１７・・・一時保存バッファ、１８・・・保存用メモリ。
【図１】
2007122519.tif 000003
【図２】
2007122519.tif 000004
【図３】
2007122519.tif 000005
【図４】
2007122519.tif 000006
【図５】
2007122519.tif 000007
【図６】
2007122519.tif 000008